(57)【要約】【課題】ネットワーク型のデジタルサイネージシステムにおいてコンテンツの管理を容易に行うことができる技術を実現する。【解決手段】制御部（１２０）は、通信部（１１０）を介して、デジタルサイネージであるコンテンツ表示装置（１０）の端末ＩＤと、コンテンツ表示装置（１０）において表示するコンテンツを指定するためのコンテンツ管理ＩＤとを取得し、端末ＩＤと、コンテンツ管理ＩＤとを関連付けて記憶部（１３０）に記憶する登録処理を行う。【選択図】図１
2020194334.tif 000002
【特許請求の範囲】
【請求項１】
通信部と制御部と記憶部とを備えている情報処理装置であって、
前記制御部は、
前記通信部を介して、デジタルサイネージであるコンテンツ表示端末の端末ＩＤと、前記コンテンツ表示端末において表示するコンテンツを指定するためのコンテンツ管理ＩＤとを取得し、
前記端末ＩＤと、前記コンテンツ管理ＩＤとを関連付けて前記記憶部に記憶する登録処理を行う
ことを特徴とする情報処理装置。
【請求項２】
前記制御部は、前記端末ＩＤを前記コンテンツ表示端末以外の端末装置から取得する
ことを特徴とする請求項１に記載の情報処理装置。
【請求項３】
前記端末ＩＤには、複数のコンテンツのうち、１又は複数のコンテンツが選択的に関連付けられている
ことを特徴とする請求項１又は２に記載の情報処理装置。
【請求項４】
前記制御部は、前記登録処理に先立ち、
前記通信部を介して前記端末ＩＤを取得した後、前記コンテンツ表示端末を登録するための登録ページのアドレス情報を、前記コンテンツ表示端末に対して、前記通信部を介して送信する
ことを特徴とする請求項１から３の何れか１項に記載の情報処理装置。
【請求項５】
前記制御部は、
前記通信部を介して、前記コンテンツ表示端末の設置場所に関する情報を取得し、
取得した設置場所を参照して特定される１又は複数のコンテンツ管理ＩＤを、前記通信部を介して送信する
ことを特徴とする請求項１から４の何れか１項に記載の情報処理装置。
【請求項６】
コンテンツを表示するデジタルサイネージであるコンテンツ表示端末と、
前記コンテンツ表示端末の端末ＩＤと、前記コンテンツ表示端末において表示するコンテンツと、当該コンテンツを指定するためのコンテンツ管理ＩＤと、を管理するサーバと、
前記端末ＩＤと、前記コンテンツ管理ＩＤとを関連付けて前記管理サーバに登録する登録端末と、
を含むことを特徴とする情報処理システム。
【請求項７】
コンテンツを表示するデジタルサイネージであるコンテンツ表示端末を特定する端末ＩＤを取得する端末ＩＤ取得ステップと、
前記コンテンツ表示端末において表示するコンテンツを指定するためのコンテンツ管理ＩＤを取得するコンテンツ管理ＩＤ取得ステップと、
前記端末ＩＤと、前記コンテンツ管理ＩＤとを関連付けて記憶部に記憶する登録処理を行う登録ステップと、
を含むことを特徴とする情報処理方法。
【発明の詳細な説明】
【技術分野】
【０００１】
本発明は、情報処理装置、情報処理システム、および情報処理方法に関する。
【背景技術】
【０００２】
従来、情報ディスプレイ装置と、管理サーバとがネットワークを介して接続され、管理サーバに登録された、情報ディスプレイ装置に関する情報に応じたコンテンツを、情報ディスプレイ装置側で受信して表示するネットワーク型のデジタルサイネージシステムが知られている。これらのネットワーク型のデジタルサイネージシステムでは、新たに情報ディスプレイ装置を設置する場合に、その情報ディスプレイ装置に関する各種情報を管理サーバに登録する必要がある。
【０００３】
これらの情報ディスプレイ装置に関する各種情報を手作業で管理サーバに登録するのはユーザにとっては手間であるため、簡単な入力作業により各種情報を管理サーバに登録することができる技術が提供されている（例えば、特許文献１参照）。
【０００４】
特許文献１に記載の技術では、機器名、機器ＩＤ、ＩＰアドレス等の情報ディスプレイ装置側の各種情報が２次元コード化されて、情報ディスプレイ装置に表示される。情報ディスプレイ装置の設置者は、当該２次元コードをモバイル端末を用いて撮影し、２次元コードに応じた各種情報を、モバイル端末の位置情報とともに管理サーバに送信することで、情報ディスプレイ装置に関する各種情報を管理サーバに登録することができる。
【先行技術文献】
【特許文献】
【０００５】
【特許文献１】特許第６１８０７１１号
【発明の概要】
【発明が解決しようとする課題】
【０００６】
ところで、コンテンツに関する情報は、情報ディスプレイ装置を設置するテナントや場所に応じて管理する必要があり、情報ディスプレイ装置に関する各種情報を管理サーバに登録しただけでは、適切なコンテンツを受信することができないという問題がある。
【０００７】
本発明の一態様は、ネットワーク型のデジタルサイネージシステムにおいてコンテンツの管理を容易に行うことができる技術を実現することを目的とする。
【課題を解決するための手段】
【０００８】
上記の課題を解決するために、本発明の一態様に係る情報処理装置は、通信部と制御部と記憶部とを備えている情報処理装置であって、前記制御部は、前記通信部を介して、デジタルサイネージであるコンテンツ表示端末の端末ＩＤと、前記コンテンツ表示端末において表示するコンテンツを指定するためのコンテンツ管理ＩＤとを取得し、前記端末ＩＤと、前記コンテンツ管理ＩＤとを関連付けて前記記憶部に記憶する登録処理を行う。
【発明の効果】
【０００９】
本発明の一態様によれば、ネットワーク型のデジタルサイネージシステムにおいてコンテンツの管理を容易に行うことができる。
【図面の簡単な説明】
【００１０】
【図１】本発明の実施形態に係る情報処理システムの要部構成を示すブロック図である。
【図２】コンテンツ表示装置の外観図である。
【図３】サーバに記録されたデータを例示した図であり、テナント情報が記録されたテナント情報テーブルを示す図である。
【図４】サーバに記録されたデータを例示した図であり、アカウント情報が記録されたアカウントテーブルを示す図である。
【図５】サーバに記録されたデータを例示した図であり、コンテンツデータを含むコンテンツテーブルを示す図である。
【図６】サーバに記録されたデータを例示した図であり、登録情報が記録された登録情報テーブルを示す図である。
【図７】コンテンツ表示装置と情報処理装置との間の処理の流れを示すシーケンス図である。
【図８】登録端末と情報処理装置との間の処理の流れを示すシーケンス図である。
【図９】コンテンツ表示装置と情報処理装置との間の処理の流れを示すシーケンス図である。
【図１０】コンテンツ表示装置を登録する際の操作を示す図である。
【図１１】コンテンツを設定する際の操作を示す図である。
【図１２】コンテンツ設定後のコンテンツ表示装置を示す図である。
【図１３】情報処理装置として利用可能なコンピュータの構成を例示したブロック図である。
【発明を実施するための形態】
【００１１】
〔実施形態１〕
以下、本発明の一実施形態に係る情報処理システム１について、以下に詳細に説明する。図１は、本実施形態に係る情報処理システム１の要部構成を示すブロック図である。図２は、コンテンツ表示装置１０の外観構成を示すイメージ図である。
【００１２】
図１、および図２に示すように、情報処理システム１は、ネットワーク型のデジタルサイネージシステムであり、１台以上の所謂デジタルサイネージであるコンテンツ表示装置１０と、各コンテンツ表示装置１０を管理する管理サーバとしての情報処理装置１００と、を含んでいる。情報処理装置１００は、各コンテンツ表示装置１０の端末ＩＤと、各コンテンツ表示装置１０において表示するコンテンツと、当該コンテンツを指定するためのコンテンツ管理ＩＤと、を管理する。また、情報処理システム１は、コンテンツ表示装置１０を新規に設置する際に、当該コンテンツ表示装置１０の端末ＩＤと、コンテンツ管理ＩＤとを関連付けて登録するために、コンテンツ表示装置１０の設置者が用いる登録端末５０を含んでいる。登録端末５０は、例えばスマートフォンやタブレット端末等のモバイル機器である。コンテンツ表示装置１０、情報処理装置１００、および登録端末５０は、互いにインターネット等のネットワークを介して接続されている。
【００１３】
（コンテンツ表示装置１０）
コンテンツ表示装置１０は、端末通信部１１、端末制御部１２、および表示部１３を備えている。
【００１４】
端末通信部１１は、ネットワークに接続するための通信インターフェースであり、例えばＷｉ−Ｆｉ（登録商標）などの無線通信回路を備えている。端末通信部１１は、情報処理装置１００から配信されるコンテンツをインターネットを介して受信する。
【００１５】
端末制御部１２は、コンテンツ表示装置１０の各部を統括的に制御する機能を備えた演算装置である。端末制御部１２は、例えば１つ以上のプロセッサ（例えばＣＰＵなど）が、１つ以上のメモリ（例えばＲＡＭやＲＯＭなど）に記憶されているプログラムを実行することでコンテンツ表示装置１０の各構成要素を制御する。
【００１６】
表示部１３は、端末制御部１２によって制御され、テキストや画像を画面に表示する。また、表示部１３は、端末通信部１１を介して情報処理装置１００から取得したテキストや画像のコンテンツ（例えば、広告や案内のための映像等）を表示画面に表示する。
【００１７】
なお、図示は省略するが、コンテンツ表示装置１０は、表示部１３に加えて、音声を出力する例えばスピーカを備えていてもよい。また、コンテンツ表示装置１０は、音声入力を受け付けるマイクを備えていてもよい。
【００１８】
コンテンツ表示装置１０は、新たな設置場所に設置されると、端末制御部１２により、コンテンツ表示装置１０の情報処理装置１００に対する登録処理を開始する。端末制御部１２は、例えば、不図時の操作部を介して設置担当者が所定の登録用操作を行ったことをトリガーとして登録処理を開始してもよい。
【００１９】
（登録端末５０）
登録端末５０は、コンテンツ表示装置１０の設置担当者が携帯している端末である。コンテンツ表示装置１０の設置担当者は、登録端末５０に対する操作によって、コンテンツ表示装置１０の情報処理装置１００に対する登録を行うことができる。
【００２０】
（情報処理装置１００）
情報処理装置１００は、通信部１１０、制御部１２０、および記憶部１３０を備えている。
【００２１】
通信部１１０は、ネットワークに接続するための通信インターフェースである。
【００２２】
制御部１２０は、情報処理装置１００の各部を統括的に制御する機能を備えた演算装置である。制御部１２０は、例えば１つ以上のプロセッサ（例えばＣＰＵなど）が、１つ以上のメモリ（例えばＲＡＭやＲＯＭなど）に記憶されているプログラムを実行することで情報処理装置１００の各構成要素を制御する。
【００２３】
制御部１２０は、ＩＤ取得部１２１、登録処理部１２２、および登録情報生成部１２３を含んでいる。
【００２４】
ＩＤ取得部１２１は、通信部１１０を介してコンテンツ表示装置１０から受信したコンテンツ表示装置１０の端末ＩＤを取得する。
【００２５】
登録処理部１２２は、ＩＤ取得部１２１によって取得されたコンテンツ表示装置１０の端末ＩＤに関連付けて、コンテンツ表示装置１０の登録情報を記憶部１３０に記憶させる処理を行う。また、詳細については後述するが、登録処理部１２２は、コンテンツ表示装置１０において表示するコンテンツを指定するためのコンテンツ管理ＩＤを取得する。登録処理部１２２は、コンテンツ表示装置１０の端末ＩＤと、コンテンツ管理ＩＤとを、関連付けて記憶部１３０に記憶する登録処理を行う。
【００２６】
登録情報生成部１２３は、コンテンツ表示装置１０が新たな設置場所に設置された際に、当該コンテンツ表示装置１０を登録するための情報を生成して、通信部１１０を介してコンテンツ表示装置１０に提供する。
【００２７】
図３、図４、図５、および図６は、記憶部１３０に記憶されているデータの例を示している。図３は、コンテンツ表示装置１０が設置されているテナントの情報が記録されたテナント情報テーブルを示している。図３に示すように、記憶部１３０に記憶されたテナント情報テーブルには、コンテンツ表示装置１０が設置されている各テナントに個別のテナント管理ＩＤと、テナント管理ＩＤに関連付けられたテナント名が含まれている。
【００２８】
図４は、コンテンツ表示装置１０のユーザの情報が記録されたアカウントテーブルを示している。図４に示すように、記憶部１３０に記憶されたアカウントテーブルには、各ユーザに個別のユーザ管理ＩＤと、ユーザ管理ＩＤに関連付けられたログインＩＤ、ログインパスワード（ログインＰＡＳＳ）、およびテナント管理ＩＤが含まれている。
【００２９】
図５は、各コンテンツ表示装置１０に設定されているコンテンツに関する情報が記録されたコンテンツ情報テーブルを示している。図５に示すように、記憶部１３０に記憶されたコンテンツ情報テーブルには、各コンテンツに個別のコンテンツ管理ＩＤと、コンテンツ管理ＩＤに関連付けられたコンテンツ名、コンテンツアクセス先（ＵＲＬコード）、およびテナント管理ＩＤが含まれている。
【００３０】
なお、コンテンツ管理ＩＤと、コンテンツとの関連付けは、情報処理装置１００を管理するサーバ管理者によって行われても良いし、情報処理装置１００が自動的に行ってもよい。コンテンツ管理ＩＤと、コンテンツとの関連付けを情報処理装置１００が自動的に行う場合には、情報処理装置１００の制御部１２０が、端末ＩＤによって特定されるコンテンツ表示装置１０の設置場所や、コンテンツ表示装置１０の種別、コンテンツを配信する時間帯、または季節等に応じて、コンテンツ管理ＩＤに関連付けるコンテンツを自動的に選択してもよい。
【００３１】
図６は、各コンテンツ表示装置１０の登録情報が記録された登録情報テーブルを示している。図６に示すように、記憶部１３０に記憶された登録情報テーブルには、各コンテンツ表示装置１０に個別の端末管理ＩＤと、端末管理ＩＤに関連付けられた端末ＩＤ、コンテンツ表示装置１０が設定されている店舗または建物の情報、コンテンツ表示装置１０が設定されているフロアまたは場所の情報、およびテナント管理ＩＤと、コンテンツ管理ＩＤと、が含まれている。
【００３２】
（情報処理システム１による処理の流れについて）
図７〜図９は、情報処理システム１による処理の流れを示すシーケンス図であり、図１０〜図１２は、処理の過程におけるコンテンツ表示装置１０、および登録端末５０の表示画面の例を示す図である。
【００３３】
（登録ページのアドレス情報をコンテンツ表示装置１０に表示する処理）
図７は、コンテンツ表示装置１０が新たな設置場所に設置された際の、コンテンツ表示装置１０と、情報処理装置１００との間で行われる処理の流れを示すシーケンス図である。
【００３４】
（ステップＳ１）
コンテンツ表示装置１０が新たな設置場所に設置され、コンテンツ表示装置１０の情報処理装置１００に対する登録処理が開始されると、まず、コンテンツ表示装置１０の端末通信部１１を介して、情報処理装置１００に、コンテンツ表示装置１０に固有の端末ＩＤが送信される。
【００３５】
（ステップＳ２）
情報処理装置１００の通信部１１０は、コンテンツ表示装置１０から送信された端末ＩＤを受信する。
【００３６】
（ステップＳ３）
情報処理装置１００の制御部１２０は、ＩＤ取得部１２１の機能により、コンテンツ表示装置１０から受信した端末ＩＤを取得し、登録処理部１２２の機能により、端末ＩＤに応じたコンテンツ表示装置１０の登録の有無を記憶部１３０に記憶された情報を参照して確認する。
【００３７】
（ステップＳ４）
情報処理装置１００の制御部１２０は、ステップＳ３の確認により、端末ＩＤに応じたコンテンツ表示装置１０の登録がない場合には、当該コンテンツ表示装置１０を新規に登録する登録処理を開始する。
【００３８】
（ステップＳ５）
情報処理装置１００の制御部１２０は、登録情報生成部１２３の機能により、端末管理ＩＤを新規で設定するとともに、当該端末管理ＩＤと、端末ＩＤとを関連付けて、端末管理ＩＤおよび端末ＩＤによって特定されるコンテンツ表示装置１０を登録するための登録用情報を生成する。登録用情報は、コンテンツ表示装置１０を登録するための登録ページのアドレス（登録用のウェブページのウェブアドレス、または登録用アプリの起動用のアドレス）情報を生成する。登録情報生成部１２３は、登録ページのアドレス情報を示す２次元コード（例えば、ＱＲコード（登録商標）等）を生成してもよい。この、登録情報生成部１２３によって生成される登録用情報には、登録ページのアドレス情報と、登録対象のコンテンツ表示装置１０の端末ＩＤとが含まれている。
【００３９】
（ステップＳ６）
情報処理装置１００の制御部１２０は、登録情報生成部１２３が生成した登録用情報を、通信部１１０を介して送信する。このように、情報処理装置１００の制御部１２０は、コンテンツ表示装置１０を登録する登録処理に先立ち、通信部１１０を介して端末ＩＤをコンテンツ表示装置１０から取得した後、当該コンテンツ表示装置１０を登録するための登録ページのアドレス情報を、コンテンツ表示装置１０に対して、通信部１１０を介して送信する。
【００４０】
（ステップＳ７）
コンテンツ表示装置１０の端末通信部１１は、情報処理装置１００から送信された登録用情報を受信する。
【００４１】
（ステップＳ８）
コンテンツ表示装置１０の端末制御部１２は、端末通信部１１を介して情報処理装置１００から受信した登録用情報を表示部１３に表示する。表示部１３には、図１０に示すように、情報処理装置１００の登録情報生成部１２３によって生成された登録ページのアドレス情報と、登録対象のコンテンツ表示装置１０の端末ＩＤとを示す２次元コードが表示されてもよい。
【００４２】
（登録端末５０への操作で登録情報およびコンテンツ管理情報を登録する処理）
図８は、登録端末５０を用いて、コンテンツ表示装置１０の登録と、コンテンツの管理とを行う際に、登録端末５０と、情報処理装置１００との間で行われる処理の流れを示すシーケンス図である。
【００４３】
（ステップＳ１１）
コンテンツ表示装置１０の設置者は、コンテンツ表示装置１０の表示部１３に表示された登録用情報を登録端末５０において読み込む。コンテンツ表示装置１０の設置者は、例えば、コンテンツ表示装置１０の表示部１３に表示された登録用情報を示す２次元コードを、登録端末５０に備えられた不図時のカメラで撮影することで、登録用情報に応じた登録用のページを読み込んでも良い。
【００４４】
（ステップＳ１２）
登録端末５０の表示部には、図１０に示すように、登録用情報に含まれる端末ＩＤで特定されるコンテンツ表示装置１０を登録するためのアプリ画面、またはウェブページ等の登録用ページが表示される。
【００４５】
（ステップＳ１３）
コンテンツ表示装置１０の設置者は、コンテンツ表示装置１０を登録するための登録用ページにおいて、ユーザアカウントへのログイン情報、例えばテナントＩＤと、パスワードと、を入力して、送信する操作を行う。なお、テナントＩＤ（図３に示したテナント管理ＩＤ、またログインＩＤ）と、ログインパスワードとは、コンテンツ表示装置１０の販売契約時などの事前のタイミングで予め登録されているものであり、図３および図４に例示した情報が、コンテンツ表示装置１０の設置に先立って予め情報処理装置１００の記憶部１３０に記憶されている。
【００４６】
（ステップＳ１４）
情報処理装置１００の制御部１２０は、通信部１１０を介して、登録端末５０に入力されたログイン情報を、登録用情報に含まれる端末ＩＤとともに受信する。このように、制御部１２０は、登録対象のコンテンツ表示装置１０の端末ＩＤを、コンテンツ表示装置１０以外の端末である登録端末５０から取得する。
【００４７】
（ステップＳ１５）
情報処理装置１００の制御部１２０は、登録処理部１２２の機能により、受信したログイン情報と、登録端末５０の位置情報とに応じたコンテンツ管理情報を記憶部１３０に記憶された情報から選択する。
【００４８】
例えば、図１０に示すように、ログインＩＤ（テナントＩＤ）が「ｈａｙａｋａｗａ−ｅｌ」であるアカウントに、予め設定されたパスワードを用いてログインするログイン情報を受信すると、登録処理部１２２は、図４に示したアカウントテーブルを参照して、ログイン情報に応じたテナント管理ＩＤ「１」を抽出する。登録処理部１２２は、通信部１１０を介して取得したログイン情報に応じたテナント管理ＩＤに関連付けられたコンテンツ管理情報を、図５に示したコンテンツ管理テーブルから選択する。
【００４９】
テナント管理ＩＤは、コンテンツ表示装置１０の設置場所を特定するための情報であり、テナント管理ＩＤには、コンテンツ表示装置１０が設置された店舗または建物、および、フロアまたは場所に係る情報が関連付けられている。また、コンテンツは、各コンテンツ表示装置１０の設置場所に応じた内容のコンテンツが関連付けられる。
【００５０】
例えば、図５に示した例では、テナント管理ＩＤ「１」には、コンテンツ管理ＩＤ「１」及び「２」で特定される、コンテンツ名「海浜幕張店１Ｆ＿Ａ」とコンテンツ名「海浜幕張店１Ｆ＿Ｂ」と、の２件のコンテンツが関連付けられている。登録処理部１２２は、テナント管理ＩＤに関連付けられた、これらの複数のコンテンツのコンテンツ管理情報をコンテンツ管理テーブルから選択する。
【００５１】
制御部１２０は、登録処理部１２２が記憶部１３０のコンテンツ管理テーブルから選択した複数のコンテンツ管理情報を通信部１１０を介して登録端末５０に送信する。
【００５２】
制御部１２０は、コンテンツ管理情報としてコンテンツ管理ＩＤを、登録端末５０に送信してもよいし、コンテンツ名を登録端末５０に送信してもよい。
【００５３】
（ステップＳ１６）
登録端末５０は、情報処理装置１００からコンテンツ管理情報を受信する。登録端末５０の表示部には、図１１に示すように、テナント管理ＩＤに応じた、コンテンツ管理情報が複数存在する場合には、登録端末５０の表示部には、これらの複数のコンテンツ管理情報が、ユーザによって選択可能に表示される。図１１に示した例は、ドロップダウンメニューにより、複数のコンテンツから、設置者が所定のコンテンツを選択可能に登録端末５０の表示部に表示される例を示している。
【００５４】
コンテンツ表示装置１０の設置者は、登録端末５０の表示部に表示された複数のコンテンツから、所望のコンテンツを選択する操作を行い、登録ボタンを押下する等の登録操作を行う。
【００５５】
（ステップＳ１７）
設置者の登録操作に応じて、登録端末５０に入力された情報に応じたコンテンツ管理登録情報が、情報処理装置１００に送信される。
【００５６】
（ステップＳ１８）
情報処理装置１００の制御部１２０は、通信部１１０を介して、登録端末５０に設置者によって入力されたコンテンツ管理登録情報を受信する。
【００５７】
（ステップＳ１９）
制御部１２０は、登録処理部１２２の機能により、登録端末５０から受信したコンテンツ管理登録情報に応じたコンテンツ管理情報を記憶部１３０に記憶された登録情報テーブルに記憶する登録処理を行う。これにより、図６に示すように、登録情報テーブルには、端末ＩＤと、コンテンツ管理ＩＤとが対応づけられて記憶される。このように、端末ＩＤには、それぞれ個別のコンテンツ管理ＩＤによって特定される複数のコンテンツのうち、１又は複数のコンテンツが選択的に関連付けられている。
【００５８】
（コンテンツを配信する処理）
図９は、コンテンツ管理情報の登録の後に、情報処理装置１００からコンテンツ表示装置１０にコンテンツの配信を行う際の処理の流れを示すシーケンス図である。
【００５９】
（ステップＳ２１）
情報処理装置１００の制御部１２０は、通信部１１０を介して、コンテンツ表示装置１０に更新リクエストを送信する。
【００６０】
（ステップＳ２２）
コンテンツ表示装置１０の制御部１２は、通信部１１を介して更新リクエストを受信する。
【００６１】
（ステップＳ２３）
コンテンツ表示装置１０の制御部１２は、通信部１１を介して端末ＩＤを情報処理装置１００に送信する。
【００６２】
（ステップＳ２４）
情報処理装置１００の制御部１２０は、通信部１１０を介して、コンテンツ表示装置１０の端末ＩＤを受信する。
【００６３】
（ステップＳ２５）
制御部１２０は、図６に示した登録情報テーブルを参照して、端末ＩＤに関連付けられたコンテンツ管理ＩＤに応じたコンテンツを、図５に示したコンテンツテーブルから選択し、当該コンテンツ、またはコンテンツアクセス先情報をコンテンツ表示装置１０に送信する。
【００６４】
（ステップＳ２６）
コンテンツ表示装置１０の制御部１２は、通信部１１を介して情報処理装置１００から送信されたコンテンツを受信する。
【００６５】
（ステップＳ２７）
コンテンツ表示装置１０の制御部１２は、コンテンツを表示部１３に表示する。なお、コンテンツ表示装置１０の制御部１２は、通信部１１を介して情報処理装置１００からコンテンツアクセス先情報を取得し、当該アクセス先からコンテンツを取得して表示する構成であってもよい。
【００６６】
このように、コンテンツ表示装置１０の設置時に、コンテンツ表示装置１０の設置場所に応じた複数のコンテンツのうち、１又は複数のコンテンツのコンテンツ管理ＩＤを選択的に、コンテンツ表示装置１０の端末ＩＤと関連付けて簡易に登録することができる。これにより、コンテンツ表示装置１０の設置時には、簡易に、コンテンツ表示装置１０のシステムへの登録を行うことで、図１２に示すように、コンテンツ表示装置１０の設置場所に応じた適切なコンテンツの配信が開始される。よって、コンテンツ表示装置１０の設置場所に応じて、コンテンツ表示装置１０の端末ＩＤと、コンテンツ管理ＩＤとを簡易な作業により関連付け、コンテンツの管理を容易に行うことができる。
【００６７】
〔実施形態２〕
上記各実施形態では、１つの情報処理装置１００を用いる例を説明したが、情報処理装置１００の有する各機能が、個別のサーバにて実現されていてもよい。そして、複数のサーバを適用する場合においては、各サーバは、同じ事業者によって管理されていてもよいし、異なる事業者によって管理されていてもよい。
【００６８】
〔実施形態３〕
情報処理装置１００の各ブロックは、集積回路（ＩＣチップ）等に形成された論理回路（ハードウェア）によって実現してもよいし、ソフトウェアによって実現してもよい。後者の場合、情報処理装置１００を、図１３に示すようなコンピュータ（電子計算機）を用いて構成することができる。
【００６９】
図１３は、情報処理装置１００として利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばプロセッサ（例えばＣＰＵ：Central Processing Unit等）、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【００７０】
補助記憶装置９１４には、コンピュータ９１０を情報処理装置１００として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、情報処理装置１００が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。また、記録媒体に記録されているプログラムを、主記憶装置９１３上に展開することなく実行可能なコンピュータであれば、主記憶装置９１３を省略してもよい。なお、上記各装置（演算装置９１２、主記憶装置９１３、補助記憶装置９１４、入出力インターフェース９１５、通信インターフェース９１６、入力装置９２０、および出力装置９３０）は、それぞれ１つであってもよいし、複数であってもよい。
【００７１】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【００７２】
〔まとめ〕
本発明の態様１に係る情報処理装置１００は、通信部１１０と制御部１２０と記憶部１３０とを備えている情報処理装置１００であって、前記制御部１２０は、前記通信部１１０を介して、デジタルサイネージであるコンテンツ表示装置１０の端末ＩＤと、前記コンテンツ表示装置１０において表示するコンテンツを指定するためのコンテンツ管理ＩＤとを取得し、前記端末ＩＤと、前記コンテンツ管理ＩＤとを関連付けて前記記憶部１３０に記憶する登録処理を行う。
【００７３】
上記の構成によれば、コンテンツ表示装置１０の設置時の登録設定時に、簡易な操作で、端末ＩＤと、コンテンツ管理ＩＤとを関連付けて登録することができコンテンツの管理を容易に行うことができる。
【００７４】
本発明の態様２に係る情報処理装置１００は、上記態様１において、前記制御部１２０は、前記端末ＩＤを前記コンテンツ表示装置１０以外の登録端末５０から取得してもよい。
【００７５】
上記の構成によれば、情報処理装置１００の制御部１２０は、コンテンツ表示装置１０の設置者が登録端末５０に入力した情報を取得して登録を行うことができるため、登録作業が煩雑化することがなく、簡易な操作でコンテンツ表示装置１０の登録を行うことができる。
【００７６】
本発明の態様３に係る情報処理装置１００は、上記態様１または２において、前記端末ＩＤには、複数のコンテンツのうち、１又は複数のコンテンツのコンテンツ管理ＩＤが選択的に関連付けられていてもよい。
【００７７】
上記の構成によれば、複数のコンテンツから所望のコンテンツを選択して、端末ＩＤと、コンテンツ管理ＩＤと関連付けることができ、コンテンツが複数ある場合でも、コンテンツの管理を容易に行うことができる。
【００７８】
本発明の態様４に係る情報処理装置１００は、上記態様１から３において、前記制御部１２０は、前記登録処理に先立ち、前記通信部１１０を介して前記端末ＩＤを取得した後、前記コンテンツ表示装置１０を登録するための登録ページのアドレス情報を、前記コンテンツ表示装置に対して、前記通信部１１０を介して送信してもよい。
【００７９】
上記の構成によれば、コンテンツ表示装置１０を登録するための登録ページへのアクセスが容易となり、簡易な操作でコンテンツ表示装置１０の登録を行うことができる。
【００８０】
本発明の態様５に係る情報処理装置１００は、上記態様１から４において、前記制御部１２０は、前記通信部１１０を介して、前記コンテンツ表示装置１０の設置場所に関する情報を取得し、取得した設置場所を参照して特定される１又は複数のコンテンツ管理ＩＤを、前記通信部１１０を介して送信してもよい。
【００８１】
上記の構成によれば、コンテンツ表示装置１０の設置場所に応じた１又は複数のコンテンツを、設置者に選択可能に提示することができ、コンテンツの管理を容易に行うことができる。
【００８２】
本発明の各態様に係る情報処理装置は、コンピュータによって実現してもよく、この場合には、コンピュータを上記情報処理装置が備える各部（ソフトウェア要素）として動作させることにより上記情報処理装置をコンピュータにて実現させる情報処理装置の制御プログラム、およびそれを記録したコンピュータ読み取り可能な記録媒体も、本発明の範疇に入る。
【００８３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８４】
１  情報処理システム
１０  コンテンツ表示装置（コンテンツ表示端末）
１００  情報処理装置
１１  端末通信部
１２  端末制御部
１３  表示部
５０  登録端末（端末装置）
１１０  通信部
１２０  制御部
１３０  記憶部
１２１  ＩＤ取得部
１２２  登録処理部
１２３  登録情報生成部
【図１】
2020194334.tif 000003
【図２】
2020194334.tif 000004
【図３】
2020194334.tif 000005
【図４】
2020194334.tif 000006
【図５】
2020194334.tif 000007
【図６】
2020194334.tif 000008
【図７】
2020194334.tif 000009
【図８】
2020194334.tif 000010
【図９】
2020194334.tif 000011
【図１０】
2020194334.tif 000012
【図１１】
2020194334.tif 000013
【図１２】
2020194334.tif 000014
【図１３】
2020194334.tif 000015